(57)【要約】【課題】交差する２つの軸線回りに回転される回転体の回転駆動を簡単な構成により実現させた遊技機の回転表示装置を得る。【解決手段】回転軸４０を介して回転体３８を支持アーム３２に軸線Ｈ回りに回転可能に支持する。支持アーム３２は支持アーム回転軸２８を介して軸受け部材２２に軸線Ｈと交差する軸線Ｖ回りに回転可能に支持し、ステッピングモータ５０により軸線Ｖ回りに回転駆動させる。また回転軸４０にはかさ歯車４６を設けて軸受け部材２２に設けたかさ歯車２６に噛み合わせることで、支持アーム３２の回転による回転体３８の軸線Ｖ回りの回転に伴い、かさ歯車２６を介してかさ歯車４６を回転させ回転体３８を軸線Ｈ回りに回転させる。【選択図】　　　　図１
2004141219.tif 000002
【特許請求の範囲】
【請求項１】
表示情報が設けられた回転体と、
前記回転体を第１回転軸線回りに回転可能に支持する第１支持手段と、
前記第１支持手段を前記第１回転軸線と交差する第２回転軸線回りに回転可能に支持する第２支持手段と、
前記第１支持手段を前記第２回転軸線回りに回転させる駆動手段と、
前記駆動手段により回転される前記第１支持手段の回転力を前記回転体に伝達し回転体を第１回転軸線回りに回転させる伝動手段と、
を有することを特徴とする遊技機の回転表示装置。
【請求項２】
前記伝動手段は、前記第２回転軸線と同軸的に設けられた固定歯車と、前記回転体に前記第１回転軸線と同軸的に取り付けられ前記固定歯車と直接的又は間接的に噛合されて前記第１支持手段が回転されるのに伴い旋回移動する可動歯車と、を有することを特徴とする請求項１記載の遊技機の回転表示装置。
【請求項３】
前記第１回転軸線と前記第２回転軸線とが斜交していることを特徴とする請求項１又は請求項２記載の遊技機の回転表示装置。
【請求項４】
前記回転体には非表示側に開口部が設けられ、前記第１支持手段は前記回転体の内側に配置されるとともに前記開口部を介して前記第２支持手段に支持されることを特徴とする請求項１〜請求項３の何れか１項記載の遊技機の回転表示装置。
【発明の詳細な説明】
【０００１】
【発明の属する技術分野】
本発明は遊技機の回転表示装置に係り、詳しくは、回転体の回転動作に伴い図柄等を表示して表示態様を多様化させる遊技機の回転表示装置に関する。
【０００２】
【従来の技術】
パチンコ機やパチスロ機等の遊技機では、抽選時の図柄や各種情報を表示する際の表示態様を多様化させるため、あるいは視覚的な演出効果を高めるためなどに、半球体や球体等の回転体を用いる回転式の表示装置を搭載した機種がある。
【０００３】
この回転式の表示装置（以下、「回転表示装置」という）において回転体が半球体とされたものの中には、半球体を輪切りにして形成した複数の輪切り形回転体を、その円形切断面の中心を通る軸線回りに個々に回転駆動させるものがある（例えば、特許文献１参照）。また、回転体を球体としたものでは、球体形回転体が交差する２つの軸線回りにそれぞれ独立して回転されるものがある。（例えば、特許文献２参照）。
【０００４】
【特許文献１】
特開平８−１９１９３３号公報　（第３‐４頁、第２図、第３図）
【特許文献２】
特開平８−１９１９３６号公報　（第４‐５頁、第１図、第７図）
【０００５】
【発明が解決しようとする課題】
しかしながら、上述した特許文献１等に示される従来例は、回転体全体としては半球状に形成されているが、各輪切り形回転体は同軸上に配置されその単一軸線回りのみでの回転動作となっている。そのため、遊技者へは、従来のドラム形回転体等に対して回転方向を変えた程度の印象しか与えることができず、表示態様としての斬新性や趣向性が乏しい。
【０００６】
また、特許文献２に示される従来例の場合は、回転体が交差する２つの軸線回りに回転駆動されることで表示態様の趣向性等は高められているが、回転体を２軸で回転させるための駆動源及び回転機構が回転方向毎に個別に設けられ各々独立しているため、回転体を２軸回転させて、例えば１軸回転による図柄表示とは異なる複雑な動きを得るには、２つの駆動源を同時に駆動させなければならず制御や機構が複雑となる。
【０００７】
本発明は上記事実を考慮して、交差する２つの軸線回りに回転される回転体の回転駆動を簡単な構成により実現させた遊技機の回転表示装置を提供することを課題とする。
【０００８】
【課題を解決するための手段】
上記目的を達成するために請求項１に記載の発明は、表示情報が設けられた回転体と、前記回転体を第１回転軸線回りに回転可能に支持する第１支持手段と、前記第１支持手段を前記第１回転軸線と交差する第２回転軸線回りに回転可能に支持する第２支持手段と、前記第１支持手段を前記第２回転軸線回りに回転させる駆動手段と、前記駆動手段により回転される前記第１支持手段の回転力を前記回転体に伝達し回転体を第１回転軸線回りに回転させる伝動手段と、を有することを特徴としている。
【０００９】
請求項１に記載の発明では、図柄等の表示情報が設けられた回転体は、第１支持手段に支持されて第１回転軸線回りに回転可能とされ、且つ、第１支持手段が第２支持手段に支持され第１回転軸線と交差する第２回転軸線回りに回転可能とされることで、回転体自体も第１回転軸線と交差する第２回転軸線回りに回転可能とされる。ここで、モータ等の駆動手段が駆動し、第１支持手段が第２回転軸線回りに回転すると、それに伴い回転体は第２回転軸線回りに回転する。また、この第１支持手段の回転力は伝動手段により回転体に伝達されるため、回転体は上記第２回転軸線回りの回転とともに第１回転軸線回りにも回転する。この回転体の回転動作は、回転体の前方にいる遊技者等により観察され、表示情報は、例えば、回転体の前側に位置したときに視認される。これにより、駆動源を一つとした簡単な構成により、回転体の２つの軸線回りの回転駆動が実現される。
【００１０】
請求項２に記載の発明は、請求項１記載の遊技機の回転表示装置において、前記伝動手段は、前記第２回転軸線と同軸的に設けられた固定歯車と、前記回転体に前記第１回転軸線と同軸的に取り付けられ前記固定歯車と直接的又は間接的に噛合されて前記第１支持手段が回転されるのに伴い旋回移動する可動歯車と、を有することを特徴としている。
【００１１】
請求項２に記載の発明では、回転体に第１回転軸線と同軸的に取り付けられた可動歯車は、第２回転軸線と同軸的に設けられた固定歯車と直接的、又は、例えば中間歯車等を介して間接的に噛合される。そして、第１支持手段が回転されるのに伴い可動歯車が旋回移動すると、可動歯車は固定歯車と噛合されていることにより回転され、それにより回転体が第１回転軸線回りに回転される。このように、伝動手段を、固定歯車と可動歯車とを有する歯車機構により構成することで回転力が確実に伝達される。
【００１２】
請求項３に記載の発明は、請求項１又は請求項２記載の遊技機の回転表示装置において、前記第１回転軸線と前記第２回転軸線とが斜交していることを特徴としている。
【００１３】
請求項３に記載の発明では、第１回転軸線と第２回転軸線とが斜交していることで回転体の回転動作は複雑となり、例えば、直交する２つの軸線回りに回転する回転体等に比べて、より趣向性の高い表示態様が得られる。
【００１４】
請求項４に記載の発明は、請求項１〜請求項３の何れか１項記載の遊技機の回転表示装置において、前記回転体には非表示側に開口部が設けられ、前記第１支持手段は前記回転体の内側に配置されるとともに前記開口部を介して前記第２支持手段に支持されることを特徴としている。
【００１５】
請求項４に記載の発明では、第１支持手段を回転体の内側に配置するとともに、その第１支持手段を回転体の非表示側に設けた開口部を介して第２支持手段により支持することで、装置全体を小型化することができる。
【００１６】
【発明の実施の形態】
以下、図面を参照して本発明の実施の形態を説明する。なお、以下の実施形態では、パチンコ機の遊技盤に搭載されて遊技に関する図柄を表示する球体式の回転表示装置を例に説明する。
【００１７】
［第１の実施形態］
図１には、第１の実施形態に係る回転表示装置を側方から見た垂直断面図が示されており、図２（Ａ）、（Ｂ）には、回転表示装置の表示部分を遊技者側（図１の矢印Ｓ方向）から見た正面図が示されている。
【００１８】
図１に示されるように、回転表示装置１０は、パチンコ機本体へセットされる遊技盤Ｐの後面に、装置本体を構成するケース１２が取り付けられている（取付構造は図示省略）。ケース１２は、前面及び後面が開口された箱状とされており、正面視矩形とされる前面側の開口１３は、遊技盤Ｐに形成された貫通孔ＰＨと対応する位置に配置されている。また、ケース１２内にはベース板１４が固着されており、後面側の開口１６は、後面に着脱可能に取り付けられた閉塞板１８により塞がれている。
【００１９】
ベース板１４の中央部には貫通孔２０が形成されている。貫通孔２０は、ケース１２の中心を通り遊技盤Ｐと略直交する水平な軸線Ｖと同軸的に配置されており、この貫通孔２０には、ベース板１４の前面側に位置して軸受け部材２２が取り付けられている。
【００２０】
軸受け部材２２は円筒状とされた軸受け本体２４を備えおり、軸受け本体２４の先端部には同軸的に配置されたかさ歯車２６が一体的に設けられている。そして、軸受け本体２４の後端部が貫通孔２０に嵌め入れられ固着されることで、軸受け部材２２はベース板１４に取り付けられている。
【００２１】
また、軸受け本体２４の空洞部には支持アーム回転軸２８が挿通されている。支持アーム回転軸２８は、軸受け本体２４の空洞部の前端縁及び後端縁に嵌挿された一対のベアリング３０を介し、軸受け本体２４（軸受け部材２２）に支持されて軸線Ｖ回りに回転可能とされている。
【００２２】
支持アーム回転軸２８の前端部には、支持アーム３２が固着されている。支持アーム３２は、図示のような略弓形とされて軸線Ｖに対し非対称となるよう支持アーム３２に取り付けられており、長尺となる一端部３２Ａがケース１２の開口１３から前方へ突出され、短尺となる他端部３２Ｂはかさ歯車２６の上方に位置して一端部３２Ａと対向している。この一端部３２Ａ及び他端部３２Ｂには、貫通孔３４Ａ、３４Ｂがそれぞれ形成されて一対のベアリング３６が嵌挿されており、貫通孔３４Ａ、３４Ｂにはそのベアリング３６を介して回転体（回転表示器）３８の回転軸４０が回転可能に挿通されている。
【００２３】
回転体３８は、透明又は乳白色等の半透明の光透過性を有する樹脂材料により、中空球体の一部が輪切りされ除去されたような略球状に形成されている。この回転体３８の頂部に形成された貫通孔４２に回転軸４０の一端部が嵌入・固着されており、回転軸４０は、回転体３８に設けられた円形断面の開口４４と同軸的に配置されて他端部側が回転体３８の外部へ突出されている。そして上述したように、回転軸４０が支持アーム３２の貫通孔３４Ａ、３４Ｂに一対のベアリング３６を介して回転可能に挿通されることで、回転体３８は支持アーム３２に支持されている。また、回転軸４０の他端部にはかさ歯車４６が固着されており、このかさ歯車４６は軸受け部材２２のかさ歯車２６に噛み合っている。これにより、回転体３８は、遊技盤Ｐに対して傾斜されるとともに軸線Ｖと回転体３８の仮想中心Ｏで交差した水平な軸線Ｈ（回転軸４０の軸線）回りに回転可能とされ（図１の矢印Ｂ方向）、さらに、支持アーム３２が回転するのに伴い軸線Ｖ回りにも回転可能とされる（図１の矢印Ａ方向）。
【００２４】
また、本実施の形態では、かさ歯車２６とかさ歯車４６とはピッチ円直径（ｄ）及び歯数（ｚ）が等しくされている。したがって、原動側（α）となるかさ歯車２６と、従動側（β）となるかさ歯車４６との回転数（Ｎ）の比（回転比：ｉ）は以下の（１）式より
ｉ＝ｄβ／ｄα＝ｚβ／ｚα＝Ｎβ／Ｎα…（１）式
ｉ＝１となっている。
【００２５】
回転体３８の外周面３８Ａには、複数の図柄４８が印刷又はラベル等によって設けられている。それら複数の図柄４８は、軸線Ｈ回りの周方向に所定の間隔で配列されており、図２には、その中の一つの図柄４８（数字の「７」）が示されている。
【００２６】
そして回転体３８は、図柄４８の表示側となる前側部分が、ケース１２の開口１３及び遊技盤Ｐの貫通孔ＰＨを介して盤面側に露出されている。また、前述した支持アーム３２、かさ歯車４６、及び軸受け部材２２のかさ歯車２６は、回転体３８の内側に配置されており、支持アーム３２に一体化された支持アーム回転軸２８は、回転体３８の非表示側に配置された開口４４を介して軸受け部材２２に支持されている。なお、この「回転体の内側」とは、略球状に形成された回転体３８の内部に加え、回転体３８の外部ではあるが内周面３８Ｂの延長領域（図１の二点鎖線Ｃで示される円周内）を含む範囲をいう。
【００２７】
一方、ケース１２内の後部には、ベース板１４の後方に位置してステッピングモータ５０が配設されている。ステッピングモータ５０のモータ軸５２は軸線Ｖと平行な向きとされており、このモータ軸５２には駆動歯車５４が固着されている。また、ステッピングモータ５０は、パチンコ機本体に搭載された表示装置制御基板のモータ制御回路に図示しない配線で接続されており、表示装置制御基板からの制御信号によって回転駆動及び停止されるようになっている。
【００２８】
他方、支持アーム回転軸２８の後端部には軸状の支持アーム回転部材５６が軸線Ｖと同軸的に固着されている。支持アーム回転部材５６の前部には平歯車５８が一体的に設けられており、平歯車５８はステッピングモータ５０の駆動歯車５４に噛み合っている。また、支持アーム回転部材５６の後端部には円板状の回転位置検出部６０が一体的に設けられており、回転位置検出部６０の周縁部にはスリット６２が形成されている。
【００２９】
また、閉塞板１８の内壁面には、上記の表示装置制御基板と電気的に接続されたフォトセンサ６４が取り付けられている。このフォトセンサ６４はコ字型の投受光部６６を備えており、その投受光部６６に回転位置検出部６０の周縁部が入り込んでいる。これにより、支持アーム回転部材５６の回転時には、回転位置検出部６０のスリット６２が投受光部６６を通過する際にフォトセンサ６４に検出され、表示装置制御基板のモータ制御回路は、その検出情報と表示制御プログラム等に基づいてステッピングモータ５０の制御信号を生成する。
【００３０】
次に、本実施形態の回転表示装置１０に装備された回転体３８の動作と作用について説明する。
【００３１】
表示装置制御基板からの制御信号によりステッピングモータ５０が駆動されてモータ軸５２とともに駆動歯車５４が回転すると、駆動歯車５４に噛合された平歯車５８が回転する。すると、支持アーム回転部材５６及び支持アーム回転軸２８を介して支持アーム３２が軸線Ｖ回りに回転し、支持アーム３２に支持された回転体３８も支持アーム３２とともに軸線Ｖ回り（図１の矢印Ａ方向）に回転する。このときの回転体３８を正面から見ると、図２（Ａ）に示されるように、図柄４８は時計又は反時計回転方向に回転して見える。
【００３２】
また、支持アーム３２が回転すると、軸受け部材２２のかさ歯車２６に噛合されたかさ歯車４６はかさ歯車２６の外周に沿って旋回移動（公転）しながら軸線Ｈ回りに回転（自転）する。これにより、回転軸４０を介して回転体３８は軸線Ｈ回り（図１の矢印Ｂ方向）に回転する。これを正面から見ると、図２（Ｂ）に示されるように、図柄４８は上方向又は下方向に湾曲スクロールして見える。したがって、図柄４８は、その回転動作と湾曲スクロール動作とが組み合わせられた複雑な動きをする。
【００３３】
図３及び図４には、上述した回転体３８の回転動作に伴う図柄４８の表示態様が示されている。ここでは、回転体３８に、数字の「１」、「３」、「５」、「７」の４種類の図柄４８が軸線Ｈ回りの周方向に９０度間隔で設けられている。また、それぞれ対向して配置された「１」、「５」の図柄４８と、「３」、「７」の図柄４８とは上下反転している。
【００３４】
ここで、回転体３８が図３（Ａ）、（Ｂ）に示される特定の回転位置で停止されたときには、図３（Ｃ）に示されるように、回転体３８の前側に「１」の図柄４８が位置して表示される。なお、図においては、表示されない図柄４８はハッチングで示している。
【００３５】
そして、図３（Ｄ）、（Ｅ）に示されるように、回転体３８がＶ軸線回りに正面視で時計回転方向に９０度回転されて停止すると、Ｖ軸線回りの回転とＨ軸線りの回転との比はｉ＝１であるため、回転体３８はＨ軸線回りにＶ軸線回りと同じ回転角度、すなわち９０度回転される。これにより、図３（Ｆ）に示されるように、「１」の図柄４８は、回転体３８のＶ軸線回りの９０度回転とＨ軸線回りの９０度回転とを足した分だけ移動して回転体３８の後側に移り、回転体３８の前側には「３」の図柄４８が位置して表示される。
【００３６】
さらに、図４（Ｇ）、（Ｈ）に示されるように回転体３８がＶ軸線回りに９０度回転されて停止すると、各図柄４８は同様に移動し、図３（Ｉ）に示されるように、回転体３８の前側には「５」の図柄４８が位置して表示される。以下、同じように、Ｖ軸線回りにさらに９０度回転された図４（Ｊ）、（Ｋ）に示される回転体３８の回転位置では、図３（Ｌ）に示されるように、回転体３８の前側に「７」の図柄４８が位置して表示される。そして、回転体３８がＶ軸線回りに１回転すると、図３（Ａ）、（Ｂ）、（Ｃ）の状態に戻って「１」の図柄４８が表示される。
【００３７】
このように、本実施形態の回転表示装置１０では、回転体３８が支持アーム３２に軸支されて軸線Ｈ回りに回転可能とされ、さらに支持アーム３２は支持アーム回転軸２８が軸受け部材２２の軸受け本体２４に軸支されて軸線Ｈと交差する軸線Ｖ回りに回転可能とされているため、それら２つの軸線回りの回転が組み合わせられた複雑な回転動作をし、それに伴う図柄４８の複数な動きが回転体３８の前側を見る遊技者に観察される。そして、複数の図柄４８のうち、回転体３８の前側で停止された所定の図柄４８が遊技者に視認される。これにより、単純に１つの軸線回りに回転する回転体等に比べて表示態様の視覚的な演出効果が高められる。さらに、直交する２つの軸線回りに回転する回転体とも異なった表示態様となるため、趣向性等も高められる。
【００３８】
以上説明したように、本実施の形態に係る回転表示装置１０では、駆動源としてのステッピングモータ５０を一つとした簡単な構成により、回転体３８の２つの軸線回りの回転駆動が実現される。
【００３９】
また、本実施の形態では、ステッピングモータ５０によりＶ軸線回りに回転される支持アーム３２の回転力を回転体３８に伝達し回転体３８をＨ軸線回りに回転させる伝動手段を、固定的に設けたかさ歯車２６と可動的に設けたかさ歯車４６とを有する歯車機構により構成したことで回転力が確実に伝達される。
【００４０】
また、本実施の形態では、Ｈ軸線とＶ軸線とが斜交していることで回転体３８の回転動作は複雑となり、より趣向性の高い表示態様が得られる。
【００４１】
また、本実施の形態では、回転軸４０や支持アーム３２を回転体３８の内側に配置するとともに、支持アーム３２の支持アーム回転軸２８を回転体３８の非表示側に設けた開口４４を介して軸受け部材２２により支持していることで、装置全体を小型化できている。
【００４２】
［第２の実施形態］
次に、本発明の第２の実施形態について説明する。この第２の実施形態は、回転体のＶ軸及びＨ軸回りの回転比を変更したものであるが、上記第１の実施形態と同一構成又は同機能部については同じ符合を付してその説明を省略する。
【００４３】
図５に示される第２の実施形態に係る回転表示装置１００では、軸受け部材１０２に設けられたかさ歯車１０４は、回転体３８の回転軸４０に設けられたかさ歯車１０６に対してピッチ円直径及び歯数が２倍とされている。したがって、原動側のかさ歯車１０４と、従動側のかさ歯車１０６との回転数の比（ｉ）は、第１の実施形態で説明した（１）式より、ｉ＝２となる。
【００４４】
図６〜図９には、第２の実施形態に係る回転体３８の回転動作に伴う図柄４８の表示態様が示されている。なお、本実施形態では、回転体３８に設けられた４種類の図柄４８（数字の「１」、「３」、「５」、「７」）の向きがそれぞれ所定角度ずらされている。
【００４５】
本実施形態の場合も、回転体３８が図６（Ａ）に示される特定の回転位置で停止されたときには、図６（Ｂ）に示されるように、回転体３８の前側に「１」の図柄４８が位置して表示される。
【００４６】
次に、図６（Ｃ）に示されるように、回転体３８がＶ軸線回りに正面視で時計回転方向に４５度回転されて停止すると、Ｖ軸線回りの回転とＨ軸線りの回転との比はｉ＝２であることより、回転体３８はＨ軸線回りに９０度回転される。これにより、図６（Ｄ）に示されるように、「１」の図柄４８は、回転体３８のＶ軸線回りの４５度回転とＨ軸線回りの９０度回転とを足した分だけ移動して回転体３８の非表示側に移り、回転体３８の前側には「３」の図柄４８が位置して表示される。
【００４７】
さらに、図７（Ｅ）に示されるように回転体３８がＶ軸線回りに４５度回転されて停止すると、各図柄４８は同様に移動し、図７（Ｆ）に示されるように、回転体３８の前側には「５」の図柄４８が位置して表示され、そこからさらに、図７（Ｇ）に示されるように回転体３８がＶ軸線回りに４５度回転されて停止すると、図７（Ｈ）に示されるように、回転体３８の前側には「７」の図柄４８が位置して表示される。
【００４８】
そして、図８（Ｉ）に示されるように、回転体３８がさらにＶ軸線回りに４５度回転されて停止すると、今度は、図８（Ｊ）に示されるように、回転体３８の前側に上下反転した「１」の図柄４８が位置して表示される。以下、同じように、Ｖ軸線回りにさらに４５度回転された図８（Ｋ）に示される回転体３８の回転位置では、図８（Ｌ）に示されるように、回転体３８の前側に上下反転した「３」の図柄４８が位置して表示され、同様に、図９（Ｍ）、（Ｎ）及び図９（Ｏ）、（Ｐ）に示されるように、回転体３８がＶ軸線回りに４５度回転される毎に、上下反転した「５」、「７」の図柄４８が順に表示される。
【００４９】
このように、原動側と従動側の歯車の回転比を変えることにより、図柄４８の表示態様のバリエーションを増やすことができる。また、ここでは、同じ図柄４８を上下反転させて表示できるため、例えば、同じ図柄を用いて、「６」と「９」を表示させたり、「７」と「Ｌ」を表示させるようなこともできる。また、回転比の設定によっては、同じ図柄を縦又は横向きにして表示することも可能である。その場合は、「８」を「∞」として表示させるようなこともできる。
【００５０】
［第３の実施形態］
次に、本発明の第３の実施形態について説明する。この第３の実施形態も、回転体の回転動作に関する変形例であり、第１の実施形態と同一構成又は同機能部については同じ符合を付してその説明を省略する。
【００５１】
図１０に示されるように、第３の実施形態に係る回転表示装置１１０では、軸受け部材１１２に設けられたかさ歯車１１４と、回転体３８の回転軸４０に設けられたかさ歯車１１６との間に、もう一つのかさ歯車１１８が設けられている。このかさ歯車１１８は、支持アーム３２にベアリング１２０を介して回転可能に取り付けられており、このかさ歯車１１８を介して、かさ歯車１１４とかさ歯車１１６とは間接的に噛み合っている。
【００５２】
以上の構成により、本実施の形態に係る回転表示装置１１０では、支持アーム３２の回転に伴うかさ歯車１１６の回転方向は、第１及び第２の実施形態とは逆方向となる。したがって、回転体３８はＶ軸線回りに正転しながらＨ軸線回りに逆転しているような２軸回転動作をし、第１及び第２の実施形態とは異なった印象を与える図柄４８の表示態様が得られる。
【００５３】
以上、本発明を上述した第１〜第３の実施形態により詳細に説明したが、本発明はそれらに限定されるものではなく、本発明の範囲内にて他の種々の実施形態が可能である。
【００５４】
また、本発明は、パチンコ機に限らずパチスロ機等の他の遊技機に搭載される回転表示装置にも適用することがきる。
【００５５】
【発明の効果】
本発明の遊技機の回転表示装置は上記構成としたので、交差する２つの軸線回りに回転される回転体の回転駆動を簡単な構成により実現することができる。
【図面の簡単な説明】
【図１】本発明の第１の実施形態に係る回転表示装置を示した側方から見た垂直断面図である。
【図２】本発明の第１の実施形態に係る回転体の正面図であり、（Ａ）は回転体の回転による図柄の回転動作を示し、（Ｂ）は回転体の回転による図柄のスクロール動作を示す。
【図３】本発明の第１の実施形態に係る回転体の回転動作と図柄の表示態様を示した図で、（Ａ）は特定の回転位置にある回転体を側方から見た図であり、（Ｂ）は（Ａ）に対応する正面図であり、（Ｃ）は（Ａ）に対応する図柄の表示態様を模式的に示した図であり、また、（Ｄ）は回転体が所定角度回転した状態を側方から見た図であり、（Ｅ）は（Ｄ）に対応する正面図であり、（Ｆ）は（Ｄ）に対応する図柄の表示態様を模式的に示した図である。
【図４】本発明の第１の実施形態に係る回転体の回転動作と図柄の表示態様を図３に続き示した図で、（Ｇ）は回転体がさらに所定角度回転した状態を側方から見た図であり、（Ｈ）は（Ｇ）に対応する正面図であり、（Ｉ）は（Ｇ）に対応する図柄の表示態様を模式的に示した図であり、また、（Ｊ）は回転体がさらに所定角度回転した状態を側方から見た図であり、（Ｋ）は（Ｊ）に対応する正面図であり、（Ｌ）は（Ｊ）に対応する図柄の表示態様を模式的に示した図である。
【図５】本発明の第２の実施形態に係る回転表示装置を示した側方から見た垂直断面図である。
【図６】本発明の第２の実施形態に係る回転体の回転動作と図柄の表示態様を示した図で、（Ａ）は特定の回転位置にある回転体を正面から見た図であり、（Ｂ）は（Ａ）に対応する図柄の表示態様を模式的に示した図であり、また、（Ｃ）は回転体が所定角度回転した状態を正面から見た図であり、（Ｄ）は（Ｃ）に対応する図柄の表示態様を模式的に示した図である。
【図７】本発明の第２の実施形態に係る回転体の回転動作と図柄の表示態様を図６に続き示した図で、（Ｅ）は回転体がさらに所定角度回転した状態を正面から見た図であり、（Ｆ）は（Ｅ）に対応する図柄の表示態様を模式的に示した図であり、また、（Ｇ）は回転体がさらに所定角度回転した状態を正面から見た図であり、（Ｈ）は（Ｇ）に対応する図柄の表示態様を模式的に示した図である。
【図８】本発明の第２の実施形態に係る回転体の回転動作と図柄の表示態様を図７に続き示した図で、（Ｉ）は回転体がさらに所定角度回転した状態を正面から見た図であり、（Ｊ）は（Ｉ）に対応する図柄の表示態様を模式的に示した図であり、また、（Ｋ）は回転体がさらに所定角度回転した状態を正面から見た図であり、（Ｌ）は（Ｋ）に対応する図柄の表示態様を模式的に示した図である。
【図９】本発明の第２の実施形態に係る回転体の回転動作と図柄の表示態様を図８に続き示した図で、（Ｍ）は回転体がさらに所定角度回転した状態を正面から見た図であり、（Ｎ）は（Ｍ）に対応する図柄の表示態様を模式的に示した図であり、また、（Ｏ）は回転体がさらに所定角度回転した状態を正面から見た図であり、（Ｐ）は（Ｏ）に対応する図柄の表示態様を模式的に示した図である。
【図１０】本発明の第３の実施形態に係る回転表示装置を示した側方から見た垂直断面図である。
【符号の説明】
１０　　　　回転表示装置
２２　　　　軸受け部材（第２支持手段）
２４　　　　軸受け本体（第２支持手段）
２６　　　　かさ歯車（固定歯車）
２８　　　　支持アーム回転軸
３２　　　　支持アーム（第１支持手段）
３８　　　　回転体
４０　　　　回転軸
４６　　　　かさ歯車（可動歯車）
４８　　　　図柄（表示情報）
５０　　　　ステッピングモータ（駆動手段）
５６　　　　支持アーム回転部材
１００　　　　回転表示装置
１０２　　　　軸受け部材（第２支持手段）
１０４　　　　かさ歯車（固定歯車）
１０６　　　　かさ歯車（可動歯車）
１１０　　　　回転表示装置
１１２　　　　軸受け部材（第２支持手段）
１１４　　　　かさ歯車（固定歯車）
１１６　　　　かさ歯車（可動歯車）
Ｈ　　　　軸線（第１回転軸線）
Ｖ　　　　軸線（第２回転軸線）
【図１】
2004141219.tif 000003
【図２】
2004141219.tif 000004
【図３】
2004141219.tif 000005
【図４】
2004141219.tif 000006
【図５】
2004141219.tif 000007
【図６】
2004141219.tif 000008
【図７】
2004141219.tif 000009
【図８】
2004141219.tif 000010
【図９】
2004141219.tif 000011
【図１０】
2004141219.tif 000012